(57)【要約】【課題】撮影装置の一部の機能に異常が発生した場合であっても、適正な画像を得ることができるようにする。【解決手段】本発明に係るデジタルカメラ１によれば、ＣＰＵ１１ａは、ストロボ異常が確認されると、異常フラグ格納部２６１にストロボ異常フラグを格納させ、モニタ２３に警告表示を表示する。レリーズスイッチＳ１が押下されると、ＣＰＵ１１ａは、測光及び測距を行い、ストロボＯＮモードの場合又はストロボＡＵＴＯモードが設定されており、且つストロボ発光要である場合に、異常フラグ格納部２６１にストロボ異常フラグが格納されていると、モニタ２３に警告表示後、ストロボを発光させずに撮影することを前提として露出条件を決定し、露光動作を行う。一方、ストロボ異常フラグが格納されていない場合は、ストロボが発光する前提として、露出条件を決定して露光動作を行う。【選択図】　図１
2004023538.tif 000002
【特許請求の範囲】
【請求項１】
撮像レンズと、被写体に対して光を照射するための発光手段とを備えた撮影装置において、
前記発光手段の異常を検出する異常検出手段と、
前記異常検出手段の検出結果に応じて露出条件を決定する露出決定手段と、を備え、
前記露出決定手段により決定された露出条件により前記撮像レンズを介して入射される被写体の光学像を撮影することを特徴とする撮影装置。
【請求項２】
撮像レンズと、この撮像レンズを介して入射される光学像に対応する画像を記録手段に記録する記録制御手段と、を備えた撮影装置において、
前記撮影装置の故障を検出する故障検出手段を備え、
前記記録制御手段は、前記故障検出手段により検出された故障に関する情報を前記画像と対応付けて前記記録手段に記録することを特徴とする撮影装置。
【請求項３】
撮像レンズと、この撮像レンズを介して入射される光学像に対応する画像を外部装置に出力する出力手段と、を備えた撮影装置において、
前記撮影装置の故障を検出する故障検出手段を備え、
前記出力手段は、前記故障検出手段により検出された故障に関する情報を前記画像と対応付けて前記外部装置へ出力することを特徴とする撮影装置。
【請求項４】
前記撮像レンズを介して入射される光学像を光電変換して前記画像である画像情報を出力する光電変換手段を備え、
前記記録制御手段は、前記画像情報と前記故障に関する情報とを対応付けて前記記録手段に記録する請求項２に記載の撮影装置。
【請求項５】
前記撮像レンズを介して入射される光学像を光電変換して前記画像である画像情報を出力する光電変換手段を備え、
前記出力手段は、前記画像情報と前記故障に関する情報とを対応付けて前記外部装置へ出力することを特徴とする請求項３に記載の撮影装置。
【請求項６】
前記異常検出手段が異常を検出したら、前記発光手段に異常があることを表示するための表示手段を有することを特徴とする請求項１に記載の撮影装置。
【請求項７】
測光または測距の指示を行うためのレリーズスイッチを有し、
前記表示手段は、前記異常検出手段が異常を検出し、前記レリーズスイッチが操作されたら、前記発光手段に異常があることを表示することを特徴とする請求項６に記載の撮影装置。
【請求項８】
前記故障検出手段が故障を検出したら、前記撮影装置に故障があることを表示するための表示手段を有することを特徴とする請求項２又は３に記載の撮影装置。
【請求項９】
測光または測距の指示を行うためのレリーズスイッチを有し、
前記表示手段は、前記故障検出手段が故障を検出し、前記レリーズスイッチが操作されたら、前記撮影装置に故障があることを表示することを特徴とする請求項８に記載の撮影装置。
【請求項１０】
前記露出決定手段は、前記異常検出手段により前記発光手段の発光不良が異常として検出されたら、シャッタ速度の打ち切り限界を解除することを特徴とする請求項１、６又は７記載の撮影装置。
【請求項１１】
被写体に対して光を照射するための発光手段と、
前記故障検出手段の検出結果に応じて露出条件を決定する露出決定手段と、
を有し、
前記露出決定手段は、前記故障検出手段により前記発光手段の発光不良が故障として検出されたら、シャッタ速度の打ち切り限界を解除することを特徴とする請求項２〜５、８、９の何れか一項に記載の撮影装置。
【請求項１２】
前記露出決定手段は、前記発光手段の不良が検出されたら、前記シャッタ速度の打ち切り限界を解除し、前記シャッタ速度の打ち切り限界よりも低速側のシャッタ速度を選択可能であることを特徴とする請求項１０又は１１に記載の撮影装置。
【請求項１３】
前記異常検出手段が異常を検出しても撮影を続行可とするモードと、撮影を続行不可とするモードとを含む複数のモードからモードを選択する選択手段と、
前記異常検出手段が異常を検出したら、前記選択手段により前記撮影を続行可とするモードが選択されている場合には、撮影を続行するように制御する撮影制御手段と、
を備えたことを特徴とする請求項１、６、７又は１０に記載の撮影装置。
【請求項１４】
前記故障検出手段が故障を検出しても撮影を続行可とするモードと、撮影を続行不可とするモードとを含む複数のモードからモードを選択する選択手段と、
前記故障検出手段が故障を検出したら、前記選択手段により前記撮影を続行可とするモードが選択されている場合には、撮影を続行するように制御する撮影制御手段と、
を備えたことを特徴とする請求項２〜５、８、９、１１の何れか一項に記載の撮影装置。
【請求項１５】
前記撮影制御手段は、前記異常検出手段が異常を検出し、前記選択手段により前記撮影を続行可とするモードが選択されない場合には、撮影を続行不可とするように制御することを特徴とする請求項１３に記載の撮影装置。
【請求項１６】
前記撮影制御手段は、前記故障検出手段が故障を検出し、前記選択手段により前記撮影を続行可とするモードが選択されない場合には、撮影を続行不可とするように制御することを特徴とする請求項１４に記載の撮影装置。
【発明の詳細な説明】
【０００１】
【発明の属する技術分野】
本発明は、撮影装置に関する。
【０００２】
【従来の技術】
従来、撮影装置において、ストロボ撮影モードで撮影する場合には、ストロボを発光させて撮影した場合に最適な露光量となるように露出条件が設定されている。
【０００３】
【発明が解決しようとする課題】
しかしながら、従来の撮影装置においては、制御回路がストロボ回路に対し、ストロボ撮影モードで撮影する指示を行ったにもかかわらず、前記回路にストロボの発光不良などの異常が発生した場合であっても、制御回路は、前記回路側の不良を認識しないままに、所定の露出条件で撮影を行うようになっている。そのため、実際に得られた画像は、露出不足の画像となってしまうという問題があった。
【０００４】
また、このような画像を、例えば、外部のモニタやプリンタ等で出力する場合においても、同様に、出力された画像が露出不足の画像となってしまうという問題が発生していた。
【０００５】
このような問題に対し、撮影時に、ストロボ回路の異常を監視し、異常が発生した場合、制御回路は露光動作などを含めて以降に行われる全ての動作を不可とする撮影装置が知られているが、この場合には、ストロボを必要としない明るい被写体に対する撮影まで行えなくなってしまうので、使い勝手が悪かった。
【０００６】
本発明の課題は、撮影装置の一部の機能に異常が発生した場合であっても、適正な画像を得ることができるようにすることである。
【０００７】
【課題を解決するための手段】
上記課題を解決するため、請求項１記載の発明は、
撮像レンズと、被写体に対して光を照射するための発光手段とを備えた撮影装置において、
前記発光手段の異常を検出する異常検出手段と、
前記異常検出手段の検出結果に応じて露出条件を決定する露出決定手段と、を備え、
前記露出決定手段により決定された露出条件により前記撮像レンズを介して入射される被写体の光学像を撮影することを特徴としている。
【０００８】
請求項１記載の発明によれば、発光手段の異常を検出し、検出結果に応じて露出条件を決定し、決定された露出条件により撮像レンズを介して入射される被写体の光学像を撮影する。従って、発光手段に異常が発生した場合でも、適正な露出で撮影した、好ましい画像を得ることができる、使い勝手のよい撮影装置を提供することができる。
【０００９】
請求項２記載の発明は、
撮像レンズと、この撮像レンズを介して入射される光学像に対応する画像を記録手段に記録する記録制御手段と、を備えた撮影装置において、
前記撮影装置の故障を検出する故障検出手段を備え、
前記記録制御手段は、前記故障検出手段により検出された故障に関する情報を前記画像と対応付けて前記記録手段に記録することを特徴としている。
【００１０】
請求項２記載の発明によれば、撮影装置の故障を検出し、検出された故障に関する情報を画像と対応付けて記録手段に記憶する。従って、記録手段に記憶した画像を外部の出力装置に出力して外部の装置から出力する際に、故障を考慮して画像処理を行うことができるので、撮影装置で故障を考慮した複雑な処理を行わなくても、適切な画像を得ることができる。その結果、撮影装置の大型化やコスト高を抑制しつつ、一部の機能に故障があっても高画質な画像を得ることができる。
【００１１】
請求項３記載の発明は、
撮像レンズと、この撮像レンズを介して入射される光学像に対応する画像を外部装置に出力する出力手段と、を備えた撮影装置において、
前記撮影装置の故障を検出する故障検出手段を備え、
前記出力手段は、前記故障検出手段により検出された故障に関する情報を前記画像と対応付けて前記外部装置へ出力することを特徴としている。
【００１２】
請求項３記載の発明によれば、撮影装置の故障を検出し、検出された故障に関する情報を画像と対応付けて外部装置に出力する。従って、撮影した画像とともに故障に関する情報を外部装置に出力するので、外部装置において故障を考慮した画像処理を行うことができ、撮影装置で故障を考慮した複雑な処理を行わなくても適切な画像を得ることができる。その結果、撮影装置の大型化やコスト高を抑制しつつ、一部の機能に故障があっても高画質な画像を得ることができる。
【００１３】
請求項４記載の発明は、請求項２に記載の発明において、
前記撮像レンズを介して入射される光学像を光電変換して前記画像である画像情報を出力する光電変換手段を備え、
前記記録制御手段は、前記画像情報と前記故障に関する情報とを対応付けて前記記録手段に記録することを特徴としている。
【００１４】
請求項４記載の発明によれば、請求項２に記載の発明において、撮像レンズを介して入射される光学像を光電変換して画像情報を出力し、故障検出手段により検出された故障に関する情報を画像情報と対応付けて記録手段に記憶する。従って、記録手段に記憶した画像を外部の出力装置に出力して外部の装置から出力する際に、故障を考慮して画像処理を行うことができるので、撮影装置で故障を考慮した複雑な処理を行わなくても、適切な画像を得ることができる。その結果、撮影装置の大型化やコスト高を抑制しつつ、一部の機能に故障があっても高画質な画像を得ることができる。
【００１５】
請求項５記載の発明は、請求項３に記載の発明において、
前記撮像レンズを介して入射される光学像を光電変換して前記画像である画像情報を出力する光電変換手段を備え、
前記出力手段は、前記画像情報と前記故障に関する情報とを対応付けて前記外部装置へ出力することを特徴としている。
【００１６】
請求項５記載の発明によれば、請求項３記載の発明において、撮像レンズを介して入射される光学像を光電変換して画像情報を出力し、故障検出手段により検出された故障に関する情報を画像情報と対応付けて外部装置に出力する。従って、撮影した画像とともに故障に関する情報を外部装置に出力するので、外部装置において故障を考慮した画像処理を行うことができ、撮影装置で故障を考慮した複雑な処理を行わなくても適切な画像を得ることができる。その結果、撮影装置の大型化やコスト高を抑制しつつ、一部の機能に故障があっても高画質な画像を得ることができる。
【００１７】
請求項６記載の発明は、請求項１に記載の発明において、
前記異常検出手段が異常を検出したら、前記発光手段に異常があることを表示するための表示手段を有することを特徴としている。
【００１８】
請求項６記載の発明によれば、請求項１に記載の発明において、異常検出手段により異常が検出されると、発光手段に異常があることを表示するための表示手段を有している。従って、ユーザに異常を通知することにより、ユーザに修理を促す、又はユーザが異常を認識した上で撮影を行うことができる。
【００１９】
請求項７記載の発明は、請求項６に記載の発明において、
測光または測距の指示を行うためのレリーズスイッチを有し、
前記表示手段は、前記異常検出手段が異常を検出し、前記レリーズスイッチが操作されたら、前記発光手段に異常があることを表示することを特徴としている。
【００２０】
請求項７記載の発明によれば、請求項６記載の発明において、測光または測距の指示を行うためのレリーズスイッチを有し、異常検出手段により異常が検出され、レリーズスイッチが操作された場合に、表示手段に発光手段に異常があることを表示する。従って、レリーズ時にユーザに異常を通知することにより、ユーザに修理を促す、又はユーザが異常を充分に認識した上で撮影を行うことができるので、撮影の際の手ぶれなどによる画質の低下を防ぐことができる。
【００２１】
請求項８記載の発明は、請求項２又は３に記載の発明において、
前記故障検出手段が故障を検出したら、前記撮影装置に故障があることを表示するための表示手段を有することを特徴としている。
【００２２】
請求項８記載の発明によれば、請求項２又は３に記載の発明において、故障検出手段により故障が検出されると、撮影装置に故障があることを表示するための表示手段を有している。従って、ユーザに故障を通知することにより、ユーザに修理を促す、又はユーザが故障を認識した上で撮影を行うことができる。
【００２３】
請求項９記載の発明は、請求項８に記載の発明において、
測光または測距の指示を行うためのレリーズスイッチを有し、
前記表示手段は、前記故障検出手段が故障を検出し、前記レリーズスイッチが操作されたら、前記撮影装置に故障があることを表示することを特徴としている。
【００２４】
請求項９記載の発明によれば、請求項８記載の発明において、測光または測距の指示を行うためのレリーズスイッチを有し、故障検出手段により故障が検出され、レリーズスイッチが操作された場合に、撮影装置に故障があることを表示する。従って、レリーズ時にユーザに故障を通知することにより、ユーザに修理を促す、又はユーザが故障を充分に認識した上で撮影を行うことができる。
【００２５】
請求項１０記載の発明は、請求項１、６又は７記載の発明において、
前記露出決定手段は、前記異常検出手段により前記発光手段の発光不良が異常として検出されたら、シャッタ速度の打ち切り限界を解除することを特徴としている。
【００２６】
請求項１０記載の発明によれば、請求項１、６又は７記載の発明において、異常検出手段により発光手段の発光不良が検出された場合に、シャッタ速度の打ち切り限界を解除して露出条件を決定する。従って、発光手段が発光不良の場合には、シャッタ速度により最適な露出条件となるように調節することができる。
【００２７】
請求項１１記載の発明は、請求項２〜５、８、９の何れか一項に記載の発明において、
被写体に対して光を照射するための発光手段と、
前記故障検出手段の検出結果に応じて露出条件を決定する露出決定手段と、
を有し、
前記露出決定手段は、前記故障検出手段により前記発光手段の発光不良が故障として検出されたら、シャッタ速度の打ち切り限界を解除することを特徴としている。
【００２８】
請求項１１記載の発明によれば、請求項２〜５、８、９の何れか一項に記載の発明において、被写体に対して光を照射するための発光手段を有し、故障検出手段により発光手段の発光不良が検出された場合に、シャッタ速度の打ち切り限界を解除して露出条件を決定する。従って、発光手段が発光不良の場合には、シャッタ速度により最適な露出条件となるように調節することができる。
【００２９】
請求項１２記載の発明は、請求項１０又は１１に記載の発明において、
前記露出決定手段は、前記発光手段の不良が検出されたら、前記シャッタ速度の打ち切り限界を解除し、前記シャッタ速度の打ち切り限界よりも低速側のシャッタ速度を選択可能であることを特徴としている。
【００３０】
請求項１２記載の発明によれば、請求項１０又は１１に記載の発明において、発光手段の不良が検出されたら、シャッタ速度の打ち切り限界を解除し、シャッタ速度の打ち切り限界よりも低速側のシャッタ速度を選択可能である。従って、発光手段の不良の場合には、シャッタ速度を低速にすることにより、最適な露光量となるように露出条件を設定することができる。
【００３１】
請求項１３記載の発明は、請求項１、６、７又は１０に記載の発明において、前記異常検出手段が異常を検出しても撮影を続行可とするモードと、撮影を続行不可とするモードとを含む複数のモードからモードを選択する選択手段と、
前記異常検出手段が異常を検出したら、前記選択手段により前記撮影を続行可とするモードが選択されている場合には、撮影を続行するように制御する撮影制御手段と、
を備えたことを特徴としている。
【００３２】
請求項１３記載の発明によれば、請求項１、６、７又は１０に記載の発明において、モードを選択することができ、異常検出手段により異常が検出されても撮影を続行可とするモードが選択されていれば、異常があっても撮影を行うことができる。従って、撮影を優先させたい時には、撮影が可能であるので、大切な撮影シーンを逃すことを防止できる。
【００３３】
請求項１４記載の発明は、請求項２〜５、８、９、１１の何れか一項に記載の発明において、
前記故障検出手段が故障を検出しても撮影を続行可とするモードと、撮影を続行不可とするモードとを含む複数のモードからモードを選択する選択手段と、
前記故障検出手段が故障を検出したら、前記選択手段により前記撮影を続行可とするモードが選択されている場合には、撮影を続行するように制御する撮影制御手段と、
を備えたことを特徴としている。
【００３４】
請求項１４記載の発明によれば、請求項２〜５、８、９、１１の何れか１項に記載の発明において、モードを選択することができ、故障検出手段により故障が検出されても撮影を続行可とするモードが選択されていれば、故障があっても撮影を行うことができる。従って、撮影を優先させたい時には、撮影が可能であるので、大切な撮影シーンを逃すことを防止できる。
【００３５】
請求項１５記載の発明は、請求項１３に記載の発明において、
前記撮影制御手段は、前記異常検出手段が異常を検出し、前記選択手段により前記撮影を続行可とするモードが選択されない場合には、撮影を続行不可とするように制御することを特徴としている。
【００３６】
請求項１５記載の発明によれば、請求項１３記載の発明において、異常検出手段により異常が検出された場合は、撮影を続行可とするモードが選択されなければ、撮影を続行不可とする。従って、非常時ではない時には確実に発光手段の異常を認識でき、異常の問題が解決されるまで撮影が行えないので失敗写真を防ぐことができる。一方、撮影を優先させたいときには、ユーザに発光手段が異常であることを認識させながら撮影が可能であるので、大事な撮影シーンを防止できる。
【００３７】
請求項１６記載の発明は、請求項１４に記載の発明において、
前記撮影制御手段は、前記故障検出手段が故障を検出し、前記選択手段により前記撮影を続行可とするモードが選択されない場合には、撮影を続行不可とするように制御することを特徴としている。
【００３８】
請求項１６記載の発明によれば、請求項１４記載の発明において、故障検出手段により故障が検出された場合は、撮影を続行可とするモードが選択されなければ、撮影を続行不可とする。従って、非常時ではない時には確実に故障を認識でき、故障の問題が解決されるまで撮影が行えないので失敗写真を防ぐことができる。一方、撮影を優先させたいときには、ユーザに故障であることを認識させながら撮影が可能であるので、大事な撮影シーンを防止できる。
【００３９】
【発明の実施の形態】
〔第１の実施の形態〕
以下、図を参照して本発明の第１の実施の形態を詳細に説明する。
図１は、本実施の形態におけるデジタルカメラ１の機能的構成を示すブロック図である。図１に示すように、デジタルカメラ１は、ＣＰＵ１１ａ、ＲＯＭ１１ｂ及びＲＡＭ１１ｃを有する制御部１１、光学系制御部１２、撮像光学系１３、撮像素子１４、画像信号生成回路１５、ＴＧ１６（後述に詳細）、ＣＣＤドライバ１７、画像信号処理部１８、ＡＥ・ＡＦ処理回路１９、内蔵メモリ２０、記録メディア２１、モニタ駆動回路２２、モニタ２３、閃光部２４、操作部２５、ＥＥＰＲＯＭ２６、電池２７、第一センサ２８ａ、第二センサ２８ｂ、第三センサ２８ｃを有する検出部２８、カウンタ２９、Ｉ／Ｆ３０等により構成されている。
【００４０】
ＣＰＵ１１ａは、ＲＯＭ１１ｂに予め記憶されている制御するためのプログラムを読み出して、ＲＡＭ１１ｃに展開し、展開したプログラムに従ってデジタルカメラ１全体の制御を行う。また、ＣＰＵ１１ａは、展開したプログラムに従って、後述する撮影処理Ａ−１、撮影処理Ｂ−１を始めとする各種処理を実行する。ＣＰＵ１１ａは、本発明の請求項に記載の露出決定手段、記録制御手段及び撮影制御手段としての機能を有する。また、検出部２８とともに、異常検出手段及び故障検出手段としての機能を有する。
【００４１】
ＲＯＭ１１ｂは、半導体等の不揮発性メモリで構成されている。ＲＯＭ１１ｂは、デジタルカメラ１に対応する制御プログラム、処理プログラム等の各種プログラムや、各種プログラムで参照されるデータ等を予め記憶する。例えば、本実施の形態において、ＲＯＭ１１ｂは、ＥＶ値に対応する絞り値及びシャッタ速度との組み合わせを示すプログラム線図を構成するプログラムＡＥデータを、プログラムデータＡ１１１とプログラムデータＢ１１２の２種類格納している。
【００４２】
図２は、プログラムデータＡ１１１及びプログラムデータＢ１１２により構成されるプログラム線図である。図２の縦軸は、レンズの絞り値Ｆを示しており、Ｆの値が大きくなるほど絞りが閉じられた状態となる。横軸は、シャッタ速度（秒）を示している。斜線は、露出値（ＥＶ値）を示している。図２の破線Ａ１１１は、プログラムデータＡ１１１による絞り値とシャッタ速度の組み合わせを示しており、ストロボが発光される撮影を行う際に、このプログラムデータＡ１１１に基づいて絞り値及びシャッタスピードが決定される。図２の実線Ｂ１１２は、プログラムデータＢ１１２による絞り値とシャッタ速度の組み合わせを示しており、ストロボが発光しない撮影を行う際に、このプログラムデータＢ１１２に基づいて絞り値及びシャッタスピードが決定される。
【００４３】
図２に示すプログラムデータＡ１１１により構成されるプログラム線図（破線のＡ１１１）は、いわゆるストロボＡＵＴＯモードとして使用されるものである。これは、低輝度時に自動発光するストロボモードである。図２の場合は、ＥＶ値が９．５になるとストロボが発光することを示している。このモードでは、手ぶれによるぶれ写真の影響を防止するために、シャッタ速度は１／６０（ｓ）より遅くならないようプログラムされている。
図２に示すプログラムデータＢ１１２により構成されるプログラム線図（実線のＢ１１２）は、いわゆるストロボＯＦＦモードとして使用されるものである。これは、低輝度時であっても、ストロボは使用しないで撮影するモードである。Ａ１１１プログラム線図では、ＥＶ値が９．５になるとストロボが発光することを示しているが、このモードでは、ストロボを使用しない分、必要な露光量を、輝度に応じてシャッタ速度を低速度側へ変化させて得るようプログラムされている。
【００４４】
ＲＡＭ１１ｃは、ＣＰＵ１１ａにより実行される各種処理において、ＲＯＭ１１ｂから読み出されたプログラム及び各種データを一時的に記憶する。
【００４５】
光学系制御部１２は、ズーム制御機構、フォーカス制御機構、シャッタ制御機構、及び絞り制御機構等により構成され、ズーム位置検出信号やフォーカス位置検出信号、及びＡＥ・ＡＦ処理回路１９等のフィードバックを受けながら制御部１１からの制御信号により撮像光学系１３を制御する。
【００４６】
撮像光学系１３は、フォーカシングレンズ、ズームレンズ、シャッタ及び絞り等により構成され、光学系制御部１２の制御により適切な露光及び合焦状態のフレーミング被写体情報を撮像素子１４上に結像する。
【００４７】
撮像素子１４は、ＣＣＤ（Ｃｈａｒｇｅ　Ｃｏｕｐｌｅｄ　Ｄｅｖｉｃｅ）等により構成され、撮像光学系１３を透過して結像された被写体光を光電変換する。撮像素子１４は、本発明の請求項に記載の光電変換手段としての機能を有する。
画像信号生成回路１５は、撮像素子１４により光電変換された信号を受け、ＡＧＣ、クランプ処理等を施して、画像信号処理部１８に出力する。
【００４８】
ＴＧ（Ｔｉｍｉｎｇ　Ｇｅｎｅｒａｔｏｒ）１６は、所定のタイミング信号を発生させ、画像信号生成回路１５及びＣＣＤドライバ１７へ出力し、これらの駆動制御を行う。ＣＣＤドライバ１７は、前記タイミング信号を受け、同期させて撮像素子１４の駆動制御を行う。
【００４９】
画像信号処理部１８は、画像信号生成回路１５から入力されたアナログ画像信号をＡ／Ｄ変換し、ＡＥ・ＡＦ処理回路１９へ出力する。また、画像信号処理部１８は、Ａ／Ｄ変換したデジタル画像データに対して、ホワイトバランス、γ補正等の処理を行って、当該処理後の画像データを内蔵メモリ２０に一時的に格納する。また、内蔵メモリ２０に一時的に格納された画像データを読み出して、記録メディア２１に記録するのに適したデータ形式にするために圧縮処理を施す。また、内蔵メモリ２０に一時的に格納された画像データや、記録メディア２１に記録されている画像データに対して、モニタ２３に再生表示するために伸長処理を施したり、再生出力に適する形態の画像信号に変換したりする。
【００５０】
ＡＥ・ＡＦ処理回路１９は、画像信号処理部１８から出力されるデジタル画像データに基づいて、撮影光学系１３内のレンズの焦点を撮影対象に対して自動的に合わせる自動焦点調節（ＡＦ）処理と、撮影対象の明るさに応じて撮像素子１４の露光を自動的に調節する自動露光調節（ＡＥ：Ａｕｔｏ　Ｅｘｐｏｓｕｒｅ）処理を実行する。
【００５１】
ＡＦ処理では、１画面分、若しくは画面内の所定部分についての画像データの高周波成分を、ハイパスフィルタにより抽出し、累積加算等の演算処理によりＡＦ評価値を算出し、ＣＰＵ１１ａに出力する。
ＡＥ処理では、１画面分の画像データの測光輝度値に対して、累積加算等の演算処理を行い、撮影に必要な露光量（露出値）等のＡＥ条件を算出し、ＣＰＵ１１ａに出力する。ＣＰＵ１１ａは、ＲＯＭ１１ｂに格納されているプログラムＡＥデータである、プログラムデータＡ１１１またはプログラムデータＢ１１２により、ＡＥ・ＡＦ処理回路１９により出力された露出値に対応する絞り値及びシャッタ速度を決定し、適切な露光が行われるよう制御する。
【００５２】
内蔵メモリ２０は、画像信号処理部１８から出力されたデジタル画像データを一時的に格納するバッファメモリ等からなるメモリと、画像信号処理部１８により圧縮処理された画像データを記録する不揮発性の半導体メモリとを有して構成されている。
【００５３】
記録メディア２１は、図示しない装着部に着脱可能であり、フラッシュメモリ（Ｆｌａｓｈ　Ｍｅｍｏｒｙ）等の不揮発性の半導体メモリで構成されており、画像信号処理部１８により圧縮処理された画像データを記録する。記録メディア２１は、本発明の請求項に記載の記録手段としての機能を有する。
【００５４】
モニタ駆動回路２２は、モニタ２３を駆動して、画像信号処理部１８により出力されたデジタル画像データを表示させる。モニタ２３は、ＬＣＤ（Ｌｉｑｕｉｄ　Ｃｒｙｓｔａｌ　Ｄｉｓｐｌａｙ）等により構成されている。モニタ２３は、本発明の請求項に記載の表示手段としての機能を有する。
【００５５】
閃光部２４は、電池電圧を所定の高電圧に昇圧させる発振回路と高電圧を電荷として蓄えるコンデンサなとからなるストロボ回路及びコンデンサに蓄えられた電荷を放電させるトリガ回路とＸ管とからなる発光部等により構成され、被写体輝度が低い時にＣＰＵ１１ａからトリガ回路に対し、発光信号を出力することにより、予めコンデンサに蓄えられた電荷がＸ管を発光させて、被写体に対して補助光を照射する。閃光部２４は、本発明の請求項に記載の発光手段としての機能を有する。
【００５６】
操作部２５は、電源スイッチ、レリーズスイッチ、再生スイッチ、各種モード変換スイッチ、確認スイッチ、ズームレバー等により構成され、ユーザによる操作信号をＣＰＵ１１ａに出力する。なお、レリーズスイッチは、撮影動作に先立ってＡＥ・ＡＦ動作を開始させる指示信号を発生させる第１段レリーズスイッチＳ１と、実際の露光処理を開始させる指示信号を発生させる第２段レリーズスイッチＳ２とからなる２段のスイッチから構成されている。操作部２５は、本発明の請求項に記載の選択手段としての機能を有する。
【００５７】
ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）２６は、不揮発性メモリにより構成され、各種動作に使用する調整データ等が予め記憶されている。例えば、デジタルカメラ１の調整時に、特定のシャッタ速度時における図示しないシャッタモータの通電開始から第三センサ２８ｃがシャッタ羽の通過を検知するまでのシャッタの作動時間が測定され、この測定結果がシャッタ作動時間の基準値として、ＥＥＰＲＯＭ２６に記憶されている。また、ＥＥＰＲＯＭ２６は、ＣＰＵ１１ａからの指示によりストロボ異常フラグを格納する異常フラグ格納部２６１と、ＣＰＵ１１ａからの指示により故障フラグ（故障情報フラグ）を格納する故障フラグ格納部２６２を有している。
【００５８】
電池２７は、リチウム・イオン二次電池やアルカリ・マンガン電池等により構成され、デジタルカメラ１に電力を供給する。
【００５９】
検出部２８は、第一センサ２８ａ、第二センサ２８ｂ及び第三センサ２８ｃにより構成されている。第一センサ２８ａは、閃光部２４のストロボ回路のメインコンデンサの端子電圧を検出してＣＰＵ１１ａへ出力する。第二センサ２８ｂは、ストロボ発光時にストロボ発光管から照射される光量を検出してＣＰＵ１１ａへ出力する。第三センサ２８ｃは、フォトインタラプタ等により構成され、シャッタ羽の通過を検知してパルスを発生させてＣＰＵ１１ａへ出力する。
【００６０】
カウンタ２９は、ＣＰＵ１１ａが閃光部２４のストロボ回路へ充電を指示すると同時に充電時間のカウントを開始し、充電時間を計測する。
【００６１】
Ｉ／Ｆ３０は、デジタルカメラ１に外部モニタ、プリンタ等の外部装置を接続するためのインターフェースである。
【００６２】
次に、動作について説明する。
図３〜４は、デジタルカメラ１の電源スイッチが操作され、電源がＯＮ状態となることにより、ＣＰＵ１１ａにより実行される、撮影処理Ａ−１を示すフローチャートである。以下、図３〜４を参照して、撮影処理Ａ−１について説明する。
【００６３】
ＣＰＵ１１ａは、電源スイッチが操作され、電源がＯＮ状態になると、ＥＥＰＲＯＭ２６の異常フラグ格納部２６１を参照し、ストロボ異常フラグが格納されていないと判断すると（ステップＳ１；ＮＯ）、ステップＳ７へ移行する。ストロボ異常フラグが格納されていると判断すると（ステップＳ１；ＹＥＳ）、ＣＰＵ１１ａは、モニタ２３に警告表示、例えば、「異常が確認されていますが、そのまま続行しますか」等を表示させる（ステップＳ２）。そして、ＣＰＵ１１ａは、操作部２５の確認スイッチが押下されると（ステップＳ３；ＹＥＳ）、モニタ２３に、ユーザに修理を促す親切表示、例えば、「早めに修理してください。」等を表示させ（ステップＳ４）、ステップＳ７へ移行する。一方、ステップＳ３で確認スイッチが押下されなければ（ステップＳ３；ＮＯ）、ＣＰＵ１１ａは、電源スイッチがＯＦＦ操作されるのを待機し、電源スイッチがＯＦＦ操作されると（ステップＳ５；ＹＥＳ）、電源をＯＦＦにして当該撮影処理Ａ−１を終了する（ステップＳ６）。
【００６４】
ステップＳ７において、ＣＰＵ１１ａは、閃光部２４のストロボ回路へ充電を指示して充電を実行させ、ステップＳ８において、ストロボ異常が確認されたか否かを判断する（ステップＳ８）。ここでは、主に発振系のストロボ異常を確認する。具体的には、ＣＰＵ１１ａが閃光部２４のストロボ回路へ充電を指示すると、カウンタ２９が充電時間のカウントを開始し、充電時間を計測する。ＣＰＵ１１ａは、カウンタ２９による充電時間の計測結果が、所定時間より大きい場合に、ストロボ回路内の発振回路が正常に発振していないと判断し、ストロボ異常と判断する。ただし、充電時間の増大の原因は、電池２７の消耗による場合もあるので、電池２７の消耗による充電時間の増大と、発振回路の異常による充電時間の増大とを区別するために、例えば、電池２７の消耗により増大する充電時間より、発振回路異常と判断するための充電時間の閾値（所定時間）を大きく設定すればよい。例えば、ＣＰＵ１１ａは、充電時間が正常時より長くても、１０秒未満なら電池の消耗と判断し、１０秒以上なら発振回路の異常と判断する。
【００６５】
ＣＰＵ１１ａは、ストロボ回路に異常が確認されないと判断すると（ステップＳ８；ＮＯ）、ステップＳ１５へ移行する。ストロボ異常が確認されたと判断すると（ステップＳ８；ＹＥＳ）、ＣＰＵ１１ａは、ＥＥＰＲＯＭ２６の異常フラグ格納部２６１にストロボ異常フラグをセットし（ステップＳ９）、モニタ２３に警告表示、例えば、「異常が確認されていますが、そのまま続行しますか」等を表示させる（ステップＳ１０）。そして、ＣＰＵ１１ａは、操作部２５の確認スイッチが押下されると（ステップＳ１１；ＹＥＳ）、モニタ２３に、ユーザに修理を促す親切表示、例えば、「早めに修理してください」等を表示させ（ステップＳ１２）、ステップＳ１５へ移行する。一方、ステップＳ１１で確認スイッチが押下されなければ（ステップＳ１１；ＮＯ）、ＣＰＵ１１ａは、電源スイッチがＯＦＦ操作されるのを待機し、電源スイッチがＯＦＦ操作されると（ステップＳ１３；ＹＥＳ）、電源をＯＦＦにし、当該撮影処理Ａ−１を終了する（ステップＳ１４）。
【００６６】
ステップＳ１５において、ＣＰＵ１１ａは、レリーズスイッチＳ１からの指示信号を待機し（ステップＳ１５）、当該指示信号が入力されると（ステップＳ１５；ＹＥＳ）、測光及び測距を行う（ステップＳ１６）。次いで、ＣＰＵ１１ａは、ストロボＯＮモード（ストロボ撮影モード）に設定されているか否かを判断し（ステップＳ１７）、ストロボＯＮモードに設定されていると判断すると（ステップＳ１７；ＹＥＳ）、ステップＳ２０へ移行する。ストロボＯＮモードではないと判断すると（ステップＳ１７；ＮＯ）、ＣＰＵ１１ａは、ストロボＡＵＴＯモード（ストロボ自動発光モード；被写体輝度等に応じて、デジタルカメラ１がストロボ発光の要否を判断するモード）であるか否かを判断し（ステップＳ１８）、ストロボＡＵＴＯモードであると判断すると（ステップＳ１８；ＹＥＳ）、測光輝度値が所定値（基準値）よりも大きいか否かを判断する（ステップＳ１９）。即ち、ＥＶ値が９．５より大きいか否かを判断する。ＣＰＵ１１ａは、測光輝度値が所定値よりも大きいと判断すると（ステップＳ１９；ＹＥＳ）、ステップＳ２２へ移行し、測光輝度値が所定値以下であると判断すると（ステップＳ１９；ＮＯ）、ステップＳ２０へ移行する。即ち、ＣＰＵ１１ａは、ユーザによりストロボＯＮモード設定されている場合及びストロボＡＵＴＯモードが設定されており、ストロボ発光要と判断した場合に、ストロボ異常フラグが格納されているか否かを判断するステップＳ２０へ移行する。
【００６７】
ＣＰＵ１１ａは、ステップＳ２０において、異常フラグ格納部２６１を参照し、ストロボ異常フラグが格納されていると判断すると（ステップＳ２０；ＹＥＳ）、モニタ２３に警告表示、例えば、「異常が確認されています。更にレリーズスイッチを押し込むことで続行できます。このまま撮影を続ける場合はシャッタ速度が遅くなりますので、手ぶれの危険があります。三脚などを使用することをおすすめします」等を表示させ（ステップＳ２１）、ステップＳ２２へ移行する。このように、レリーズスイッチＳ１が操作された後に警告表示を表示することにより、ユーザが、異常が生じていることを認識した上で撮影をすることができ、手ぶれ等による画質の低下を防止することができる。また、ステップＳ１８において、ストロボＡＵＴＯモードではないと判断した場合についても（ステップＳ１８；ＮＯ）、ステップＳ２２に移行する。
【００６８】
ステップＳ２２において、ＣＰＵ１１ａは、ストロボが発光しない場合の露出条件を決定する露出決定処理Ｂを実行し、ＡＥ・ＡＦ処理回路１９により、測光輝度値や撮像素子の感度等の光の条件から、ＥＶ値（露出値）を算出し、プログラムデータＢ１１２を参照して、ＥＶ値に基づいて絞り値及びシャッタ速度を決定する（ステップＳ２２）。このように、ＣＰＵ１１ａは、ストロボ異常の場合においては、ストロボＯＦＦモード（ストロボ発光しないモード）と同様に、ストロボを発光させずに撮影することを前提として、露出条件を決定する。例えば、図２のプログラムデータＡ１１１からＢ１１２に切り替えることにより、シャッタ速度の打ち切り限界である１／６０（ｓ）を解除し、被写体輝度に応じてシャッタ速度を１／６０（ｓ）より低速側へ選択可能とすればよい。露出条件決定後、ＣＰＵ１１ａは、フォーカシングを行い（ステップＳ２３）、レリーズスイッチＳ２が押下されると（ステップＳ２４；ＹＥＳ）、ステップＳ２２で決定された絞り値及びシャッタ速度に基づいて露光動作を行い（ステップＳ２５）、電源スイッチがＯＦＦされなければ（ステップＳ３２；ＮＯ）、ステップＳ１に戻り、ステップＳ１〜３２を繰り返し実行し、電源スイッチがＯＦＦされると（ステップＳ３２；ＹＥＳ）、電源をＯＦＦ状態にし、当該撮影処理Ａ−１を終了する（ステップＳ３３）。
【００６９】
一方、ＣＰＵ１１ａは、ステップＳ２０において、ストロボ異常フラグが格納されていないと判断すると（ステップＳ２０；ＮＯ）、ストロボが発光する前提での露出条件を決定する露出決定処理Ａを実行し、ＡＥ・ＡＦ処理回路１９により、測光輝度値や撮像素子の感度等の光の条件から、ＥＶ値（露出値）を算出し、プログラムデータＡ１１１参照して、ＥＶ値に基づいて絞り値及びシャッタ速度を決定する（ステップＳ２６）。このプログラム線図の場合、ＥＶ値が所定値（基準値）である９．５より小さい場合は、全てシャッタ速度を１／６０に固定し、閃光部２４の発光部から絞り値Ｆに応じた必要な光量を被写体に照射する。次いで、ＣＰＵ１１ａは、フォーカシングを行い（ステップＳ２７）、レリーズスイッチＳ２が押下されると（ステップＳ２８；ＹＥＳ）、ステップＳ２６で決定された絞り及びシャッタ速度に基づいて露光動作を行う（ステップＳ２９）。
【００７０】
ステップＳ２９における露光動作後、ＣＰＵ１１ａは、ストロボ異常が確認されたか否かを判断する（ステップＳ３０）。ステップＳ３０においては、主に閃光部２４の発光部におけるストロボ異常（発光不良；発光しない又は光量不足）が確認されたか否かを判断する。具体的には、ＣＰＵ１１ａは、ストロボ発光の指示をしたにも拘わらず、ストロボ回路のメインコンデンサの発光直後の端子電圧を検出する第一センサ２８ａからの出力が、発光前と比べて変化しなかった場合に、ストロボ異常と判断する。或いは、ＣＰＵ１１ａは、ストロボの発光管から照射される光量を検出する第二センサ２８ｂからの出力が、所定の発光量（ストロボ異常がない場合の通常の発光量）よりも小さい場合に、ストロボ異常と判断する。
【００７１】
ストロボ異常が確認されないと判断すると（ステップＳ３０；ＮＯ）、ＣＰＵ１１ａは、ステップＳ３２に移行し、電源スイッチがＯＦＦされなければ（ステップＳ３２；ＮＯ）、ステップＳ１に戻り、ステップＳ１〜３２を繰り返し実行し、電源スイッチがＯＦＦされると（ステップＳ３２；ＹＥＳ）、電源をＯＦＦ状態にし、当該撮影処理Ａ−１を終了する（ステップＳ３３）。一方、ＣＰＵ１１ａは、ストロボ異常が確認されたと判断すると（ステップＳ３０；ＹＥＳ）、異常フラグ格納部２６１にストロボ異常フラグを格納し（ステップＳ３１）、電源スイッチがＯＦＦされなければ（ステップＳ３２；ＮＯ）、ステップＳ１に戻り、ステップＳ１〜３２を繰り返し実行し、電源スイッチがＯＦＦされると（ステップＳ３２；ＹＥＳ）、電源をＯＦＦ状態にし、当該撮影処理Ａ−１を終了する（ステップＳ３３）。このように、ストロボ異常が確認された際に、ストロボ異常フラグをセットしておくことで、次回の撮影準備時（ステップＳ１）において、ストロボ異常フラグの確認が行われた際に、ユーザへ異常を警告することができる。
【００７２】
以上説明した様に、デジタルカメラ１のＣＰＵ１１ａによれば、ストロボ回路への充電時にストロボ異常が確認されると、異常フラグ格納部２６１にストロボ異常フラグを格納させ、モニタ２３に警告表示を表示させる。確認スイッチがＯＮされ、レリーズスイッチＳ１が押下されると、ＣＰＵ１１ａは、測光及び測距を行い、ストロボＯＮモード又はストロボＡＵＴＯモードが設定されており、且つストロボ発光要である場合に、異常フラグ格納部２６１にストロボ異常フラグが格納されているか否かを判断する。ＣＰＵ１１ａは、ストロボ異常ありと判断すると、モニタ２３に警告表示後、ストロボを発光させずに撮影することを前提として露出条件を決定し、露光動作を行う。一方、ＣＰＵ１１ａは、ストロボ異常なしと判断すると、ストロボが発光する前提として、露出条件を決定して露光動作を行う。露光時にストロボ異常が確認された場合には、異常フラグ格納部２６１にストロボ異常フラグをセットし、次回の撮影時に、ストロボ撮影の指示があった場合には、ストロボが異常である場合の処理（露出決定処理Ｂ）を行う。
【００７３】
従って、ストロボ異常であっても、適正な露出条件により撮影を行うことができるので、高画質な画像を得ることができ、ユーザは、デジタルカメラ１を使い勝手良く使用することができる。
【００７４】
次に、上記第１の実施の形態の応用例について説明する。
図５は、ＣＰＵ１１ａにより実行される撮影処理Ａ−１の応用例である撮影処理Ａ−２を示すフローチャートである。撮影処理Ａ−２は、図３〜４に示す撮影処理Ａ−１のうち、図３のステップＳ３〜６を図５のステップＳ１０１〜１０６として、図３のステップＳ１１〜１４を図５のステップＳ１０７〜１１２として実行するものである。その他は撮影処理Ａ−１と同様であるので、図５及び図４を参照して撮影処理Ａ−２について説明する。
【００７５】
ＣＰＵ１１ａは、電源スイッチが操作され、電源がＯＮ状態になると、ＥＥＰＲＯＭ２６の異常フラグ格納部２６１を参照し、ストロボ異常フラグが格納されていないと判断すると（ステップＳ１；ＮＯ）、ステップＳ７へ移行する。ストロボ異常フラグが格納されていると判断すると（ステップＳ１；ＹＥＳ）、ＣＰＵ１１ａは、モニタ２３に警告表示、例えば、「異常が確認されています」等を表示させる（ステップＳ２）。そして、ＣＰＵ１１ａは、ＲＡＭ１１ｃに撮影モードフラグが格納されているか否かを判断し（ステップＳ１０１）、撮影モードフラグが格納されていると判断すると（ステップＳ１０１；ＹＥＳ）、ステップＳ１０５へ移行して、モニタ２３に親切表示、例えば、「早めに修理してください」等を表示させ（ステップＳ１０５）、ステップＳ７へ移行する。撮影モードフラグが格納されていないと判断すると（ステップＳ１０１；ＮＯ）、ＣＰＵ１１ａは、モニタ２３に、モード設定画面（複数のモードを表示して、ユーザに選択させる画面）を表示し（ステップＳ１０２）、操作部２５により撮影モード（撮影の続行を可とするモード）が選択されると（ステップＳ１０３；ＹＥＳ）、ＲＡＭ１１ｃに撮影モードフラグを格納し（ステップＳ１０４）、モニタ２３に親切表示、例えば、「早めに修理してください」等を表示させ（ステップＳ１０５）、ステップＳ７へ移行する。一方、ステップＳ１０３で撮影モードが設定されなければ、（ステップＳ１０３；ＮＯ）、ＣＰＵ１１ａは、電源をＯＦＦにして（ステップＳ１０６）当該撮影処理Ａ−２を終了する。
【００７６】
なお、撮影モードフラグは、電源がＯＦＦ状態となると消失するので、電源ＯＮ時には、前回の撮影モードフラグは消失しており、撮影続行が不可のモードに設定されている。撮影の続行を可としたい場合には、ステップＳ１０３にて撮影モードを選択して設定する必要がある。
【００７７】
ステップＳ７において、ＣＰＵ１１ａは、閃光部２４のストロボ回路へ充電を指示して充電を実行させ、ステップＳ８において、ストロボ異常が確認されたか否かを判断する（ステップＳ８）。ＣＰＵ１１ａは、ストロボ回路に異常が確認されないと判断すると（ステップＳ８；ＮＯ）、ステップＳ１５へ移行する。ストロボ異常が確認されたと判断すると（ステップＳ８；ＹＥＳ）、ＣＰＵ１１ａは、ＥＥＰＲＯＭ２６の異常フラグ格納部２６１にストロボ異常フラグをセットし（ステップＳ９）、モニタ２３に警告表示、例えば、「異常が確認されています。」等を表示させる（ステップＳ１０）。そして、そして、ＣＰＵ１１ａは、ＲＡＭ１１ｃに撮影モードフラグが格納されているか否かを判断し（ステップＳ１０７）、撮影モードフラグが格納されていると判断すると（ステップＳ１０７；ＹＥＳ）、ステップＳ１１１へ移行し、モニタ２３に親切表示、例えば、「早めに修理してください」等を表示させ（ステップＳ１１１）、ステップＳ１５へ移行する。撮影モードフラグが格納されていないと判断すると（ステップＳ１０７；ＮＯ）、ＣＰＵ１１ａは、モニタ２３に、モード設定画面を表示させ（ステップＳ１０８）、操作部２５により撮影モードが選択されると（ステップＳ１０９；ＹＥＳ）、ＲＡＭ１１ｃに撮影モードフラグを格納し（ステップＳ１１０）、モニタ２３に親切表示、例えば、「早めに修理してください」等を表示させ（ステップＳ１１１）、ステップＳ１５へ移行する。一方、ステップＳ１０９で撮影モードが設定されなければ、（ステップＳ１０９；ＮＯ）、ＣＰＵ１１ａは、電源をＯＦＦにして（ステップＳ１１２）当該撮影処理Ａ−２を終了する。
【００７８】
ステップＳ１５以降の処理は、撮影処理Ａ−１と同様であるので、説明を省略する。
【００７９】
上記第１の実施の形態の応用例によれば、特に非常時ではないときには確実に異常を認識でき、ストロボ異常の問題が解決されるまで撮影が行えないので、失敗写真を防ぐことができる。一方、撮影を優先させたいときには、ユーザに故障であることを認識させながら撮影させることが可能であるので、大事な撮影シーンを逃すことを防止することができる。
【００８０】
なお、上記第１実施の形態及びその応用例における記述内容は、本発明に係るデジタルカメラ１の好適な一例であり、これに限定されるものではない。
【００８１】
例えば、上記実施の形態において、デジタルカメラ１に記憶されているプログラム線図は図２の通りとしたが、これに限定されない。図２に示すプログラム線図においては、ストロボＡＵＴＯモードとストロボＯＦＦモードの時の絞り値は同一の値としているが、例えば、ストロボＯＦＦモードの時の絞り値は、さらに開放側（例えばＦ２．８）を選択するようにしてもよい。更に、異常時や故障時のプログラムは、ストロボを使用しなくても十分な露光量が得られるようなシャッタ速度と絞り値が選択できるようになっていれば、ストロボＯＦＦモードの時と同じプログラムを用いる必要はない。
【００８２】
また、上記実施の形態においては、レリーズスイッチＳ１操作後のストロボに異常があるか否かの判断及び警告表示は、ストロボＯＮモード又はストロボＡＵＴＯモードに設定されている場合に行うこととしているが、これに限定されず、例えば、ストロボＯＦＦモードの場合にも行うようにしてもよい。これにより、ストロボ異常を早期にユーザに警告することができる。また、警告は、モニタに表示することとしているが、ファインダ内やファインダ周辺に表示するようにしてもよい。
【００８３】
また、上記実施の形態のように、ストロボに異常があるか否かの判断及び警告表示は、レリーズスイッチＳ１のＯＮ後、レリーズスイッチＳ２のＯＮ／ＯＦＦの判断前に行うことにより、ユーザにストロボが異常であることを認識させた上で撮影を行わせることができるが、レリーズスイッチＳ２がＯＮされた後に警告表示すれば、ユーザにストロボに異常があるか否かを意識させずに最適な露出で撮影を行うことができる。
【００８４】
また、ストロボ異常の検出手段は、複数もつか、何れかのみを有する構成とするかは本発明の要旨ではなく、適宜選択することができるものである。また、具体的なストロボ異常の検出方法についても、上記実施例に限定されない。
【００８５】
また、ストロボ異常フラグは、どの種の異常であっても共通のフラグとしても良いし、異常内容により複数のフラグを準備してもよい。異常内容により複数のフラグを準備するようにすれば、サービスで修理する場合に、異常の原因が確認しやすくなる。また、モニタに警告と共に異常の内容を表示するようにすれば、ユーザが撮影の続行の可否を異常の内容により決定することができる。
【００８６】
〔第２の実施の形態〕
以下、本発明の第２の実施の形態について説明する。
なお、本実施の形態におけるデジタルカメラ１の構成は、上述した第１の実施の形態と同様であるので、各構成要素には同一の符号を付し、その構成の図示及び説明は省略する。
【００８７】
次に、動作について説明する。
図６〜８は、ＣＰＵ１１ａにより実行される撮影処理Ｂ−１を示すフローチャートである。以下、図６〜８を参照して、撮影処理Ｂ−１について説明する。
【００８８】
ＣＰＵ１１ａは、電源スイッチが操作され、電源がＯＮ状態になると、ＥＥＰＲＯＭ２６の故障フラグ格納部２６２を参照し、故障フラグが格納されていないと判断すると（ステップＳ４１；ＮＯ）、ステップＳ４７へ移行する。故障フラグが格納されていると判断すると（ステップＳ４１；ＹＥＳ）、ＣＰＵ１１ａは、モニタ２３に警告表示、例えば、「異常が確認されていますが、そのまま続行しますか」等を表示させる（ステップＳ４２）。そして、操作部２５の確認スイッチが押下されると（ステップＳ４３；ＹＥＳ）、モニタ２３に、ユーザに修理を促す親切表示、例えば、「早めに修理してください」等を表示させ（ステップＳ４４）、ステップＳ４７へ移行する。一方、ステップＳ４３で確認スイッチが押下されなければ（ステップＳ４３；ＮＯ）、ＣＰＵ１１ａは、電源スイッチがＯＦＦ操作されるのを待機し、電源スイッチがＯＦＦ操作されると（ステップＳ４５；ＹＥＳ）、電源をＯＦＦにして当該撮影処理Ｂ−１を終了する（ステップＳ４６）。
【００８９】
ステップＳ４７において、ＣＰＵ１１ａは、閃光部２４にストロボ回路へ充電を指示して充電を実行させ、ステップＳ４８において、ストロボ異常が確認されたか否かを判断する（ステップＳ４８）。ここでは、第１の実施の形態の、図４のステップＳ８において説明した検出方法と同様の方法により、主に発振系のストロボ異常を検出し、ストロボ異常であるか否かを判断する。
【００９０】
ＣＰＵ１１ａは、ストロボ回路に異常が確認されないと判断すると（ステップＳ４８；ＮＯ）、ステップＳ５５へ移行する。ストロボ異常が確認されたと判断すると（ステップＳ４８；ＹＥＳ）、ＣＰＵ１１ａは、ＥＥＰＲＯＭ２６の故障フラグ格納部２６２に故障フラグをセットし（ステップＳ４９）、モニタ２３に警告表示、例えば、「異常が確認されていますが、そのまま続行しますか」等を表示させる（ステップＳ５０）。そして、ＣＰＵ１１ａは、操作部２５の確認スイッチが押下されると（ステップＳ５１；ＹＥＳ）、モニタ２３に、ユーザに修理を促す親切表示、例えば、「早めに修理してください」等を表示させ（ステップＳ５２）、ステップＳ５５へ移行する。一方、ステップＳ５１で確認スイッチが押下されなければ（ステップＳ５１；ＮＯ）、ＣＰＵ１１ａは、電源スイッチがＯＦＦ操作されるのを待機し、電源スイッチがＯＦＦ操作されると（ステップＳ５３；ＹＥＳ）、電源をＯＦＦにし、当該撮影処理Ｂ−１を終了する（ステップＳ５４）。
【００９１】
ステップＳ５５において、ＣＰＵ１１ａは、レリーズスイッチＳ１からの指示信号を待機し（ステップＳ５５）、当該指示信号が入力されると（ステップＳ５５；ＹＥＳ）、測光及び測距を行う（ステップＳ５６）。次いで、ＣＰＵ１１ａは、予め設定されているストロボモードを検知し（ステップＳ５７）、ストロボのモード設定及び測光輝度値に基づいて撮影時のストロボの発光／非発光を決定する（ステップＳ５８）。そして、ＣＰＵ１１ａは、ＡＥ・ＡＦ処理回路１９により、測光輝度値、撮像素子の感度等の光の条件からＥＶ値を算出し、ストロボ発光の場合はプログラムデータＡ１１１、ストロボ非発光の場合はプログラムデータＢ１１２を参照して、ＥＶ値に基づいて絞り値及びシャッタスピードを決定して露出条件を決定し（ステップＳ５９）、続いてフォーカシングを行う（ステップＳ６０）。フォーカシング後、レリーズスイッチＳ２が押下されると（ステップＳ６１；ＹＥＳ）、ＣＰＵ１１ａは、露光動作を行い（ステップＳ６２）、撮影画像を記録メディア２１又は内蔵メモリ２０に記録させる（ステップＳ６３）。
【００９２】
図９は、ステップＳ６３において記録メディア２１又は内蔵メモリ２０に記録される撮影画像のデータ構造の一例を示す図である。図９に示す様に、記録メディア２１又は内蔵メモリ２０の不揮発性メモリは、撮影画像毎のデータ（画像情報）を格納する画像ファイル１、画像ファイル２・・・を有している。各画像ファイルは、故障情報有無、ストロボ異常による画像補正値、シャッタ故障による画像補正値等の故障に関する情報を夫々格納するヘッダ領域と、画像領域により構成されている。
【００９３】
次に、ＣＰＵ１１ａは、ステップＳ５８でストロボ発光すると決定してステップＳ６２で露光動作を行った場合に（ステップＳ６４；ＹＥＳ）、発光部にストロボ異常（発光しない又は光量不足）が確認されたか否かを判断する（ステップＳ６５）。具体的には、第１の実施の形態における図４のステップＳ３０で説明した検出方法により、ＣＰＵ１１ａは、ストロボ異常が確認されたか否かを判断する。ストロボ異常が確認されると、ＣＰＵ１１ａは、ＥＥＰＲＯＭ２６の故障フラグ格納部２６２に故障フラグをセットし（ステップＳ６６）、当該異常が、ストロボが発光しなかったという異常であった場合には（ステップＳ６７；ＹＥＳ）、記録メディア２１又は内蔵メモリ２０に格納した撮影画像のヘッダ領域に、故障情報としての故障フラグ及び「画像補正＋３ＥＶ」を記録する（ステップＳ６８）。当該異常がストロボが発光しなかったという異常ではない場合（ステップＳ６７；ＮＯ）、ストロボの光量不足として、記録メディア２１に格納した撮影画像のヘッダ領域に、故障フラグ及び「画像補正＋１．５ＥＶ」を記録する（ステップＳ６９）。
【００９４】
次に、ＣＰＵ１１ａは、シャッタの作動時間は正常の範囲内であったか否かを判断する（ステップＳ７０）。なお、調整時において、カメラ毎に、特定のシャッタ速度時におけるシャッタモータの通電開始から、フォトインタラプタ等の第三センサ２８ｃがシャッタ羽の通過を検知するまでの作動時間を測定し、これをシャッタ作動時間の基準値としてＥＥＰＲＯＭ２６に記憶している。ステップＳ７０においては、第三センサ２８ｃにより、図示しないシャッタモータの通電開始から、第三センサ２８ｃがシャッタ羽を検知するまでの実作動時間を検知し、ＣＰＵ１１ａは、これを基準値と比較する。具体的には、ＣＰＵ１１ａは、この基準値と、実作動時間との差が、露光に大きな影響がでない、あるいは許容できる範囲内、例えば、０％〜±１０％以内であったか否かを判断する。
【００９５】
ステップＳ７０において、シャッタ作動時間が正常の範囲内ではないと判断すると（ステップＳ７０；ＮＯ）、ＣＰＵ１１ａは、ＥＥＰＲＯＭ２６の故障フラグ格納部２６２に故障フラグをセットし（ステップＳ７１）、シャッタ作動時間が基準値の＋１０％〜＋３０％の範囲であった場合には（ステップＳ７２；ＹＥＳ）、記録メディア２１又は内蔵メモリ２０に格納した撮影画像のヘッダ領域に故障フラグ及び「画像補正−１．５ＥＶ」を記録し（ステップＳ７３）、ステップＳ７６へ移行する。シャッタ作動時間が基準値の＋１０％〜＋３０％の範囲外であった場合（ステップＳ７２；ＮＯ）、ＣＰＵ１１ａは、シャッタ作動時間が基準値の−１０％〜−３０％の範囲内であるか否かを判断し（ステップＳ７４）、−１０％〜−３０％の範囲内であると判断すると（ステップＳ７４；ＹＥＳ）、記録メディア２１又は内蔵メモリ２０格納した撮影画像のヘッダ領域に故障フラグ及び「画像補正＋１．５ＥＶ」を記録し（ステップＳ７５）、ステップＳ７６へ移行する。
【００９６】
ステップＳ７６において、ＣＰＵ１１ａは、Ｉ／Ｆ３０により外部装置との接続が検知されると（ステップＳ７６；ＹＥＳ）、画像出力準備状態に遷移し、当該外部装置から、画像ファイル送信命令を受信すると、記録メディア２１又は内蔵メモリ２０に記録されている画像データ及びヘッダ情報を当該外部装置に出力する（ステップＳ７７）。
【００９７】
デジタルカメラ１から画像が出力された外部装置（例えば、モニタやプリンタ等の再生装置）は、画像データの輝度信号を伸長する際に、ヘッダ情報を参照して、画像の明るさやコントラストを補正して当該画像の表示やプリントを行う。また、外部装置は、補正値を参照せずに故障フラグのみを認識し、「画像補正をお勧めします」等の表示を行い、ユーザ側で変更がかけられるようなインターフェース画面を備えるようにしてもよい。
【００９８】
画像の出力終了後、電源スイッチのＯＦＦを検知しなければ（ステップＳ８２；ＮＯ）、ステップＳ４１に戻り、ステップＳ４１〜Ｓ８２を繰り返し実行する。電源スイッチのＯＦＦを検知すると（ステップＳ８２；ＹＥＳ）、ＣＰＵ１１ａは、当該撮影処理Ｂ−１を終了する（ステップＳ８３）。
【００９９】
なお、故障フラグは、電源がＯＦＦ状態となっても消失しないので、次回の撮影時にステップＳ４１において、故障をユーザに警告することができる。
【０１００】
一方、ステップＳ７４において、ＣＰＵ１１ａは、シャッタ作動時間と基準値との差が−１０％〜−３０％の範囲内ではないと判断すると（ステップＳ７４；ＮＯ）、即ち、シャッタの実作動時間と基準値との差が±３０％以上であると判断すると、当該エラー内容をＥＥＰＲＯＭ２６に記録し（ステップＳ７９）、電源をＯＦＦ状態にし（ステップＳ８０）、電池の残容量がある限り、モニタ２３にエラー内容を表示する（ステップＳ８１）。このように、シャッタの作動時間が所定範囲を越えた場合、ＣＰＵ１１ａは、機器の重大な故障とみなし、以降修理を行わなければユーザが使用できないようにする。
【０１０１】
以上説明した様に、デジタルカメラ１のＣＰＵ１１ａによれば、ストロボ回路への充電時にストロボ異常が確認されると、故障フラグ格納部２６２にストロボ異常フラグを格納させ、モニタ２３に警告表示を表示させる。また、露光時にストロボ異常が確認されると、ＣＰＵ１１ａは、故障フラグ格納部２６２に故障フラグをセットし、本露光において記録メディア２１或いは内蔵メモリ２０に記憶された撮影画像の画像ファイルのヘッダ領域に故障フラグ及び画像補正値を格納する。また、ＣＰＵ１１ａは、露光時におけるシャッタの作動時間を検知し、正常の範囲外である場合、故障フラグ格納部２６２に故障フラグをセットし、正常の範囲外ではあるが所定の範囲であれば、本露光において、記録メディア２１或いは内蔵メモリ２０に記憶された撮影画像の画像ファイルのヘッダ領域に故障フラグ及び画像補正値を格納し、所定範囲外であれば、エラー内容をＥＥＰＲＯＭ２６に記憶し、電源をＯＦＦにする。
【０１０２】
従って、デジタルカメラ１の一部の機能に故障が発生した場合でも、デジタルカメラ１で複雑な処理を行わずに、再生装置等により故障を考慮した画像補正を行うことにより、好ましい画像を得ることができる。そのため、カメラの大型化やコスト高を抑制しつつ、高画質な画像を得ることができる。
【０１０３】
次に、上記第２の実施の形態の応用例について説明する。
図１０は、ＣＰＵ１１ａにより実行される撮影処理Ｂ−１の応用例である撮影処理Ｂ−２を示すフローチャートである。撮影処理Ｂ−２は、図６〜図８に示す撮影処理Ｂ−１のうち、図６のステップＳ４３〜４６を図１０のステップＳ１１３〜１１８として、図６のステップＳ５１〜５４を図１０のステップＳ１１９〜１２４として実行するものである。その他は撮影処理Ｂ−１と同様であるので、図１０及び図７〜８を参照して撮影処理Ｂ−２について説明する。
【０１０４】
ＣＰＵ１１ａは、電源スイッチが操作され、電源がＯＮ状態になると、ＥＥＰＲＯＭ２６の故障フラグ格納部２６２を参照し、故障フラグが格納されていないと判断すると（ステップＳ４１；ＮＯ）、ステップＳ４７へ移行する。ストロボ異常フラグが格納されていると判断すると（ステップＳ４１；ＹＥＳ）、ＣＰＵ１１ａは、モニタ２３に警告表示、例えば、「異常が確認されています」等を表示させる（ステップＳ４２）。そして、ＣＰＵ１１ａは、ＲＡＭ１１ｃに撮影モードフラグが格納されているか否かを判断し（ステップＳ１１３）、撮影モードフラグが格納されていると判断すると（ステップＳ１１３；ＹＥＳ）、ステップＳ１１７へ移行する。撮影モードフラグが格納されていないと判断すると（ステップＳ１１３；ＮＯ）、ＣＰＵ１１ａは、モニタ２３に、モード設定画面（複数のモードを表示して、ユーザに選択させる画面）を表示し（ステップＳ１１４）、操作部２５により撮影モード（撮影の続行を可とするモード）が選択されると（ステップＳ１１５；ＹＥＳ）、ＲＡＭ１１ｃに撮影モードフラグを格納し（ステップＳ１１６）、モニタ２３に親切表示、例えば、「早めに修理してください」等を表示させ（ステップＳ１１７）、ステップＳ４７へ移行する。一方、ステップＳ１１５で撮影モードが設定されなければ、（ステップＳ１１５；ＮＯ）、ＣＰＵ１１ａは、電源をＯＦＦにして（ステップＳ１１８）当該撮影処理Ｂ−２を終了する。
【０１０５】
なお、撮影モードフラグは、電源がＯＦＦ状態となると消失するので、電源投入時には、前回の撮影モードフラグは消失しており、撮影続行が不可のモードに設定されている。撮影の続行を可としたい場合には、ステップＳ１１５にて撮影モードに設定する必要がある。
【０１０６】
ステップＳ４７において、ＣＰＵ１１ａは、閃光部２４のストロボ回路へ充電を指示して充電を実行させ、ステップＳ４８において、ストロボ異常が確認されたか否かを判断する（ステップＳ４８）。ＣＰＵ１１ａは、ストロボ回路に異常が確認されないと判断すると（ステップＳ４８；ＮＯ）、ステップＳ５５へ移行する。ストロボ異常が確認されたと判断すると（ステップＳ４８；ＹＥＳ）、ＣＰＵ１１ａは、ＥＥＰＲＯＭ２６の故障フラグ格納部２６２に故障フラグをセットし（ステップＳ４９）、モニタ２３に警告表示、例えば、「異常が確認されています。」等を表示させる（ステップＳ５０）。そして、そして、ＣＰＵ１１ａは、ＲＡＭ１１ｃに撮影モードフラグが格納されているか否かを判断し（ステップＳ１１９）、撮影モードフラグが格納されていると判断すると（ステップＳ１１９；ＹＥＳ）、ステップＳ１２３へ移行し、モニタ２３に親切表示、例えば、「早めに修理してください」等を表示させ（ステップＳ１２３）、ステップＳ５５へ移行する。撮影モードフラグが格納されていないと判断すると（ステップＳ１１９；ＮＯ）、ＣＰＵ１１ａは、モニタ２３に、モード設定画面を表示させ（ステップＳ１２０）、操作部２５により撮影モードが選択されると（ステップＳ１２１；ＹＥＳ）、ＲＡＭ１１ｃに撮影モードフラグを格納し（ステップＳ１２２）、モニタ２３に親切表示、例えば、「早めに修理してください」等を表示させ（ステップＳ１２３）、ステップＳ５５へ移行する。一方、ステップＳ１２１で撮影モードが設定されなければ、（ステップＳ１２１；ＮＯ）、ＣＰＵ１１ａは、電源をＯＦＦにして（ステップＳ１２４）当該撮影処理Ｂ−２を終了する。
【０１０７】
ステップＳ５５以降の処理は、撮影処理Ｂ−１と同様であるので、説明を省略する。
【０１０８】
上記第２の実施の形態の応用例によれば、第１の実施例の応用例と同様に、特に非常時ではないときには確実に故障を認識でき、故障の問題が解決されるまで撮影が行えないので、失敗写真を防ぐことができる。一方、撮影を優先させたいときには、ユーザに故障であることを認識させながら撮影させることが可能であるので、大事な撮影シーンを逃すことを防止することができる。
【０１０９】
なお、上記実施の形態における記述内容は、本発明に係るデジタルカメラ１の好適な一例であり、これに限定されるものではない。
例えば、上記実施の形態においては、故障の内容により撮影装置が撮影画像のヘッダ領域に具体的な画像補正値を記録することとしているが、これに限定されず、例えば、ストロボ異常の場合又はシャッタの作動時間の基準値との差がプラス方向の場合は、露出オーバーの可能性があるので、外部装置（再生装置）側に明るさやコントラストのマイナス補正を指示する情報をヘッダ領域に記載し、シャッタの作動時間の基準値との差がマイナス方向の場合は、露出アンダーの可能性があるので、外部装置側に明るさやコントラストのプラス補正を指示する情報をヘッダ領域に記載し、外部装置側で複数のパラメータで画像補正してモニタ等に出力し、ユーザに最適画像を選択させるようにしてもよい。
【０１１０】
また、故障フラグは、どの種の故障であっても共通のフラグとしても良いし、故障内容により複数のフラグを準備してもよい。故障内容により複数のフラグを準備するようにすれば、サービスで修理する場合に、故障の原因が確認しやすくなる。また、モニタに警告と共に故障の内容を表示するようにすれば、ユーザが撮影の続行の可否を故障の内容により決定することができる。
【０１１１】
また、上述した第１及び第２の実施の形態において検出する異常や故障は、ストロボ異常やシャッタ動作に限定されず、例えば、絞りの作動不良等であってもよい。検出する故障やその検出手段は、複数もつか、何れかのみを有する構成とするかは本発明の要旨ではなく、適宜選択することができるものである。また、具体的な故障の検出方法についても、上記実施例に限定されない。
【０１１２】
また、上記第１及び第２の実施の形態は、別々に説明したが、両者の機能を組み合わせてもよいことは勿論である。例えば、第２の実施の形態においては、故障が検出された場合、デジタルカメラ１は、撮影した画像と故障情報とを対応付けて記憶し、外部装置で出力する際に補正を行えるような構成としているが、デジタルカメラ１側で、ストロボ異常等の故障の検出結果に応じて露出決定処理Ａ又は露出決定処理Ｂを行って、故障の場合には、シャッタ速度の打ち切り限界を解除して、適切な露出条件となるように露出決定をする機能を併せもつようにしてもよい。そして、ユーザが、デジタルカメラ１による露出補正を行うか、外部装置による露出補正を行うかを選択できるようにしてもよい。
【０１１３】
また、上記第１及び第２の実施の形態は、デジタルカメラを例にとり説明しているが、これに限定されず、撮影機能を有する撮影装置が搭載されている電子機器、撮影装置を装着可能な電子機器、撮影装置に適用可能である。撮影装置は、例えば銀塩カメラのようにアナログの撮影装置であってもよく、この場合、フィルムに対し、異常や故障の情報を、ＬＥＤなどの発光部材を用いて光学的に又は磁気的に写しこむようにすれば、画像に対応付けて異常や故障の情報を記録しておくことができるので、外部装置において、この異常や故障の情報を考慮して出力処理を行うことができる。
【０１１４】
その他、デジタルカメラ１の細部構成及び細部動作に関しても、本発明の趣旨を逸脱することのない範囲で適宜変更可能である。
【０１１５】
【発明の効果】
請求項１記載の発明によれば、発光手段の異常を検出し、検出結果に応じて露出条件を決定し、決定された露出条件により撮像レンズを介して入射される被写体の光学像を撮影する。従って、発光手段に異常が発生した場合でも、適正な露出で撮影した、好ましい画像を得ることができる、使い勝手のよい撮影装置を提供することができる。
【０１１６】
請求項２記載の発明によれば、撮影装置の故障を検出し、検出された故障に関する情報を画像と対応付けて記録手段に記憶する。従って、記録手段に記憶した画像を外部の出力装置に出力して外部の装置から出力する際に、故障を考慮して画像処理を行うことができるので、撮影装置で故障を考慮した複雑な処理を行わなくても、適切な画像を得ることができる。その結果、撮影装置の大型化やコスト高を抑制しつつ、一部の機能に故障があっても高画質な画像を得ることができる。
【０１１７】
請求項３記載の発明によれば、撮影装置の故障を検出し、検出された故障に関する情報を画像と対応付けて外部装置に出力する。従って、撮影した画像とともに故障に関する情報を外部装置に出力するので、外部装置において故障を考慮した画像処理を行うことができ、撮影装置で故障を考慮した複雑な処理を行わなくても適切な画像を得ることができる。その結果、撮影装置の大型化やコスト高を抑制しつつ、一部の機能に故障があっても高画質な画像を得ることができる。
【０１１８】
請求項４記載の発明によれば、請求項２に記載の発明において、撮像レンズを介して入射される光学像を光電変換して画像情報を出力し、故障検出手段により検出された故障に関する情報を画像情報と対応付けて記録手段に記憶する。従って、記録手段に記憶した画像を外部の出力装置に出力して外部の装置から出力する際に、故障を考慮して画像処理を行うことができるので、撮影装置で故障を考慮した複雑な処理を行わなくても、適切な画像を得ることができる。その結果、撮影装置の大型化やコスト高を抑制しつつ、一部の機能に故障があっても高画質な画像を得ることができる。
【０１１９】
請求項５記載の発明によれば、請求項３記載の発明において、撮像レンズを介して入射される光学像を光電変換して画像情報を出力し、故障検出手段により検出された故障に関する情報を画像情報と対応付けて外部装置に出力する。従って、撮影した画像とともに故障に関する情報を外部装置に出力するので、外部装置において故障を考慮した画像処理を行うことができ、撮影装置で故障を考慮した複雑な処理を行わなくても適切な画像を得ることができる。その結果、撮影装置の大型化やコスト高を抑制しつつ、一部の機能に故障があっても高画質な画像を得ることができる。
【０１２０】
請求項６記載の発明によれば、請求項１に記載の発明において、異常検出手段により異常が検出されると、発光手段に異常があることを表示するための表示手段を有している。従って、ユーザに異常を通知することにより、ユーザに修理を促す、又はユーザが異常を認識した上で撮影を行うことができる。
【０１２１】
請求項７記載の発明によれば、請求項６記載の発明において、測光または測距の指示を行うためのレリーズスイッチを有し、異常検出手段により異常が検出され、レリーズスイッチが操作された場合に、表示手段に発光手段に異常があることを表示する。従って、レリーズ時にユーザに異常を通知することにより、ユーザに修理を促す、又はユーザが異常を充分に認識した上で撮影を行うことができるので、撮影の際の手ぶれなどによる画質の低下を防ぐことができる。
【０１２２】
請求項８記載の発明によれば、請求項２又は３に記載の発明において、故障検出手段により故障が検出されると、撮影装置に故障があることを表示するための表示手段を有している。従って、ユーザに故障を通知することにより、ユーザに修理を促す、又はユーザが故障を認識した上で撮影を行うことができる。
【０１２３】
請求項９記載の発明によれば、請求項８記載の発明において、測光または測距の指示を行うためのレリーズスイッチを有し、故障検出手段により故障が検出され、レリーズスイッチが操作された場合に、撮影装置に故障があることを表示する。従って、レリーズ時にユーザに故障を通知することにより、ユーザに修理を促す、又はユーザが故障を充分に認識した上で撮影を行うことができる。
【０１２４】
請求項１０記載の発明によれば、請求項１、６又は７記載の発明において、異常検出手段により発光手段の発光不良が検出された場合に、シャッタ速度の打ち切り限界を解除して露出条件を決定する。従って、発光手段が発光不良の場合には、シャッタ速度により最適な露出条件となるように調節することができる。
【０１２５】
請求項１１記載の発明によれば、請求項２〜５、８、９の何れか一項に記載の発明において、被写体に対して光を照射するための発光手段を有し、故障検出手段により発光手段の発光不良が検出された場合に、シャッタ速度の打ち切り限界を解除して露出条件を決定する。従って、発光手段が発光不良の場合には、シャッタ速度により最適な露出条件となるように調節することができる。
【０１２６】
請求項１２記載の発明によれば、請求項１０又は１１に記載の発明において、発光手段の不良が検出されたら、シャッタ速度の打ち切り限界を解除し、シャッタ速度の打ち切り限界よりも低速側のシャッタ速度を選択可能である。従って、発光手段の不良の場合には、シャッタ速度を低速にすることにより、最適な露光量となるように露出条件を設定することができる。
【０１２７】
請求項１３記載の発明によれば、請求項１、６、７又は１０に記載の発明において、モードを選択することができ、異常検出手段により異常が検出されても撮影を続行可とするモードが選択されていれば、異常があっても撮影を行うことができる。従って、撮影を優先させたい時には、撮影が可能であるので、大切な撮影シーンを逃すことを防止できる。
【０１２８】
請求項１４記載の発明によれば、請求項２〜５、８、９、１１の何れか１項に記載の発明において、モードを選択することができ、故障検出手段により故障が検出されても撮影を続行可とするモードが選択されていれば、故障があっても撮影を行うことができる。従って、撮影を優先させたい時には、撮影が可能であるので、大切な撮影シーンを逃すことを防止できる。
【０１２９】
請求項１５記載の発明によれば、請求項１３記載の発明において、異常検出手段により異常が検出された場合は、撮影を続行可とするモードが選択されなければ、撮影を続行不可とする。従って、非常時ではない時には確実に発光手段の異常を認識でき、異常の問題が解決されるまで撮影が行えないので失敗写真を防ぐことができる。一方、撮影を優先させたいときには、ユーザに発光手段の異常であることを認識させながら撮影が可能であるので、大事な撮影シーンを防止できる。
【０１３０】
請求項１６記載の発明によれば、請求項１４記載の発明において、故障検出手段により故障が検出された場合は、撮影を続行可とするモードが選択されなければ、撮影を続行不可とする。従って、非常時ではない時には確実に故障を認識でき、故障の問題が解決されるまで撮影が行えないので失敗写真を防ぐことができる。一方、撮影を優先させたいときには、ユーザに故障であることを認識させながら撮影が可能であるので、大事な撮影シーンを防止できる。
【図面の簡単な説明】
【図１】本発明にデジタルカメラ１の機能的構成を示すブロック図である。
【図２】図１のプログラムデータＡ１１１及びプログラムデータＢ１１２により構成されるプログラム線図である。
【図３】図１のＣＰＵ１１ａにより実行される撮影処理Ａ−１を示すフローチャートである。
【図４】図１のＣＰＵ１１ａにより実行される撮影処理Ａ−１及び撮影処理Ａ−２を示すフローチャートである。
【図５】図１のＣＰＵ１１ａにより実行される撮影処理Ａ−２を示すフローチャートである。
【図６】図１のＣＰＵ１１ａにより実行される撮影処理Ｂ−１を示すフローチャートである。
【図７】図１のＣＰＵ１１ａにより実行される撮影処理Ｂ−１及び撮影処理Ｂ−２を示すフローチャートである。
【図８】図１のＣＰＵ１１ａにより実行される撮影処理Ｂ−１及び撮影処理Ｂ−２を示すフローチャートである。
【図９】図１記録メディア２１又は内蔵メモリ２０に記録される撮影画像のデータ構造を示す図である。
【図１０】図１のＣＰＵ１１ａにより実行される撮影処理Ｂ−２を示すフローチャートである。
【符号の説明】
１　　デジタルカメラ
１１　　制御部
１１ａ　　ＣＰＵ
１１ｂ　　ＲＯＭ
１１ｃ　　ＲＡＭ
１２　　光学系制御部
１３　　撮像光学系
１４　　撮像素子
１５　　画像信号生成回路
１６　　ＴＧ
１７　　ＣＣＤドライバ
１８　　画像信号処理部
１９　　ＡＥ・ＡＦ処理回路
２０　　内蔵メモリ
２１　　記録メディア
２２　　モニタ駆動回路
２３　　モニタ
２４　　閃光部
２５　　操作部
２６　　ＥＥＰＲＯＭ
２７　　電池
２８　　検出部
２８ａ　　第一センサ
２８ｂ　　第二センサ
２８ｃ　　第三センサ
【図１】
2004023538.tif 000003
【図２】
2004023538.tif 000004
【図３】
2004023538.tif 000005
【図４】
2004023538.tif 000006
【図５】
2004023538.tif 000007
【図６】
2004023538.tif 000008
【図７】
2004023538.tif 000009
【図８】
2004023538.tif 000010
【図９】
2004023538.tif 000011
【図１０】
2004023538.tif 000012